(57)【特許請求の範囲】
【請求項１】
前面に開口が形成された金属製の自動販売機本体の内部に、断熱材から成る断熱ボードが配設されることで構成された商品収容庫と、
前記自動販売機本体の後壁に固着されるとともに、該後壁から前記商品収容庫に進入する態様で配設された金属製の後側取付部材と、
後端部に後方に向けて突出するよう形成された補強梁が前記後側取付部材に形成されたスリットに進入し、かつ該後端部における水平に延在する水平延在部分が前記後側取付部材に形成された水平部分に重なるようにして該後側取付部材に支持されることで、商品収納ラックを前記商品収容庫に配設させる金属製のラック支持フレームと
を備え、前記商品収納ラックに収納された商品を所望の温度状態に維持するようにした自動販売機において、
金属よりも熱抵抗の大きい材料で形成され、かつ前記補強梁が前記スリットに進入することを許容しつつ前記水平延在部分と前記水平部分との間に介在するシート状部材を備えたことを特徴とする自動販売機。
【請求項２】
前記シート状部材は、前記スリットを覆う態様で前記後側取付部材に配設されており、該スリットに対応する部位に形成された切込部分に前記補強梁を進入させることを特徴とする請求項１に記載の自動販売機。
【請求項３】
前記後側取付部材は、縦断面がコ字状を成して前記後壁との間に左右方向に向けて延在する空洞を形成する中空形成部を構成しており、
前記シート状部材は、一部が前記スリットに進入して前記空洞を閉塞する態様で配設されていることを特徴とする請求項１に記載の自動販売機。
【請求項４】
前記自動販売機の上壁に固着されるとともに、後方に向けて突出する複数の舌片状の係止片が並設されてなる金属製の前側取付部材と、
前記前側取付部材の複数の係止片に跨る態様で硬質樹脂材を介して載置され、かつ前記前側取付部材よりも熱伝導率の小さい金属材料から形成された板状ナット部材と
を備え、
前記前側取付部材は、前記板状ナット部材が硬質樹脂材を介して前記ラック支持フレームの前端部と締結されることで該ラック支持フレームを支持することを特徴とする請求項１〜３のいずれか１つに記載の自動販売機。
【発明の詳細な説明】
【技術分野】
【０００１】
本発明は、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機においては、自動販売機本体の内部に断熱構造の商品収容庫が設けられているとともに、この商品収容庫の内部に商品を収納するための商品収納ラックが設けられており、商品収容庫の内部雰囲気を冷却、若しくは加熱することによって商品収納ラックに収納された商品を所望の温度状態に維持するようにしている。
【０００３】
商品収容庫は、自動販売機本体の内部に断熱材から成る板状の断熱ボードを配設することで構成されており、商品収納ラックは、金属製のラック支持フレームに支持されることで配設されている。
【０００４】
ラック支持フレームは、自動販売機本体の後壁に固着されて商品収容庫に進入する態様で設けられている金属製の取付部材に後端部が支持され、自動販売機本体の天壁に設けられた前方フレーム材に前端部がネジ等によって取り付けられることで配設されている。より詳細に説明すると、ラック支持フレームの後端部には、水平延在部分と補強梁とが形成されており、ラック支持フレームは、補強梁が取付部材に形成されたスリットに進入し、かつ水平延在部分が取付部材に形成された水平部分に重なるように当接して該取付部材に支持されている（例えば、特許文献１参照）。
【先行技術文献】
【特許文献】
【０００５】
【特許文献１】特許第４１７５２７０号公報
【発明の概要】
【発明が解決しようとする課題】
【０００６】
上述した自動販売機においては、ラック支持フレーム及び取付部材はともに金属性材料から形成されており、しかもラック支持フレームの水平延在部分と、取付部材の水平部分とが当接しているために、商品の温度が商品収納ラックを通じてラック支持フレームに伝達し、更にラック支持フレームから取付部材を通じて自動販売機本体に伝達してしまう熱リークが発生してしまう場合がある一方、外部の熱が自動販売機本体を通じて取付部材に伝達し、更に取付部材からラック支持フレームを通じて商品収納ラックに伝達してしまう熱進入が発生してしまう場合があった。このような熱リーク等の発生を防止するために、ラック支持フレームや取付部材等を金属性材料よりも熱抵抗の大きな例えば樹脂等の材料から形成することも考えられるが、ラック支持フレームや取付部材等は、商品のみならず複数の商品収納ラックを支持するものであるから十分な強度を有することが求められており、金属性材料以外のもので形成することは温度環境、部材コストの面からも使用されていない。
【０００７】
本発明は、商品や商品収納ラックの荷重を概ね水平な面で受ける部分があることに着目して創作されたものであり、上記実情に鑑みて、商品収納ラックを良好に支持しつつ、熱リーク及び熱進入の低減化を図ることができる自動販売機を提供することを目的とする。
【課題を解決するための手段】
【０００８】
上記目的を達成するために、本発明に係る自動販売機は、前面に開口が形成された金属製の自動販売機本体の内部に、断熱材から成る断熱ボードが配設されることで構成された商品収容庫と、前記自動販売機本体の後壁に固着されるとともに、該後壁から前記商品収容庫に進入する態様で配設された金属製の後側取付部材と、後端部に後方に向けて突出するよう形成された補強梁が前記後側取付部材に形成されたスリットに進入し、かつ該後端部における水平に延在する水平延在部分が前記後側取付部材に形成された水平部分に重なるようにして該後側取付部材に支持されることで、商品収納ラックを前記商品収容庫に配設させる金属製のラック支持フレームとを備え、前記商品収納ラックに収納された商品を所望の温度状態に維持するようにした自動販売機において、金属よりも熱抵抗の大きい材料で形成され、かつ前記補強梁が前記スリットに進入することを許容しつつ前記水平延在部分と前記水平部分との間に介在するシート状部材を備えたことを特徴とする。
【０００９】
また、本発明は、上記自動販売機において、前記シート状部材は、前記スリットを覆う態様で前記後側取付部材に配設されており、該スリットに対応する部位に形成された切込部分に前記補強梁を進入させることを特徴とする。
【００１０】
また、本発明は、上記自動販売機において、前記後側取付部材は、縦断面がコ字状を成して前記後壁との間に左右方向に向けて延在する空洞を形成する中空形成部を構成しており、前記シート状部材は、一部が前記スリットに進入して前記空洞を閉塞する態様で配設されていることを特徴とする。
【００１１】
また、本発明は、上記自動販売機において、前記自動販売機の上壁に固着されるとともに、後方に向けて突出する複数の舌片状の係止片が並設されてなる金属製の前側取付部材と、前記前側取付部材の複数の係止片に跨る態様で硬質樹脂材を介して載置され、かつ前記前側取付部材よりも熱伝導率の小さい金属材料から形成された板状ナット部材とを備え、前記前側取付部材は、前記板状ナット部材が硬質樹脂材を介して前記ラック支持フレームの前端部と締結されることで該ラック支持フレームを支持することを特徴とする。
【発明の効果】
【００１２】
本発明によれば、シート状部材が、金属よりも熱抵抗の大きい材料で形成され、かつ補強梁がスリットに進入することを許容しつつラック支持フレームと後側取付部材との間に介在するので、金属部材どうしの間に熱抵抗の大きい部材が介在していることになり、商品の温度がラック支持フレームから後側取付部材を通じて外部に伝達してしまう熱リークや、外部の熱が後側取付部材からラック支持フレームを通じて内部に伝達してしまう熱進入の発生を抑制できる。しかも、シート状部材は、ラック支持フレームの水平延在部分と、後側取付部材の水平部分との間に介在しており、つまり、互いの水平な部分どうしの間に介在しているので、シート状部材に複雑な加工を施す必要がなく、比較的安価で商品収納ラックを良好に支持することができる。従って、商品収納ラックを良好に支持しつつ、熱リーク及び熱進入の低減化を図ることができるという効果を奏する。
【図面の簡単な説明】
【００１３】
【図１】図１は、本発明の実施の形態である自動販売機を示す斜視図である。
【図２】図２は、図１に示した自動販売機の外箱及び商品収容室の構成を示す概念図である。
【図３】図３は、図１に示した自動販売機の外箱の内部における１つの商品収容庫の内部構造を示す断面側面図である。
【図４】図４は、図１に示した自動販売機の要部断面側面図である。
【図５】図５は、図１に示した自動販売機に適用されるラック支持フレームの取付構造を示す斜視図である。
【図６】図６は、図１に示した自動販売機に適用されるラック支持フレームを上方側から見た斜視図である。
【図７】図７は、図１に示した自動販売機においてラック支持フレームの後端部と、後方フレーム材との関係を示す説明図である。
【図８】図８は、図７に示したシート状部材を示す斜視図である。
【図９】図９は、本発明の実施の形態である自動販売機の変形例においてラック支持フレームの後端部と、後方フレーム材との関係を示す説明図である。
【図１０】図１０は、図９に示したシート状部材を示す斜視図である。
【図１１】図１１は、本発明の実施の形態である自動販売機の他の変形例においてラック支持フレームの後端部と、後方フレーム材との関係を示す説明図である。
【図１２】図１２は、本発明の実施の形態である自動販売機の変形例における前方フレーム材の構成を示す分解斜視図である。
【図１３】図１３は、図１２に示した前方フレーム材を用いたラック支持フレームの取付状態を示す自動販売機の要部の拡大断面側面図である。
【図１４】図１４は、図１３に示した取付状態をさらに拡大して示す拡大断面側面図である。
【発明を実施するための形態】
【００１４】
以下に添付図面を参照して、本発明に係る自動販売機の好適な実施の形態について詳細に説明する。
【００１５】
図１は、本発明の実施の形態である自動販売機を示す斜視図である。ここで例示する自動販売機は、例えば缶入り飲料やペットボトル入り飲料等の商品を冷却、若しくは加熱した状態で販売するもので、外箱１０、外扉５０及び内扉６０を備えて構成されている。
【００１６】
外箱１０は、図２に示すように、複数の金属板を適宜組み合わせることによって構成された自動販売機本体であり、前面が開口した箱状に構成されている。より具体的には、上壁１１、一対の側壁１２、底壁１３、後壁１４を接合することによって外箱１０が構成されている。一対の側壁１２は、それぞれ底壁１３よりも下方に延在しており、互いの間に台座壁１５が接合されている。
【００１７】
外箱１０には、その内部に断熱構造の商品収容室２０が設けられている。本実施の形態では、図２に示すように、上壁１１、一対の側壁１２、底壁１３、後壁１４の内壁面にそれぞれ予め板状に成形した断熱ボード２１を配設することにより、これら断熱ボード２１によって囲まれる空間に商品収容室２０が構成されている。そして、商品収容室２０に対して前方側より例えば２つの断熱仕切板２２を挿入させることで、外箱１０の内部に３つの独立した商品収容庫２３が左右に並んだ態様で設けられている。
【００１８】
図３は、図１に示した外箱１０の内部における１つの商品収容庫２３の内部構造を示す断面側面図である。この図３では、最も左側にある商品収容庫（以下、左庫ともいう）２３の内部構造について示すが、中央の商品収容庫（以下、中庫ともいう）２３及び右側の商品収容庫（以下、右庫ともいう）２３の内部構造も左庫２３と略同じような構成を有している。尚、本明細書における左側とは、自動販売機を正面側から見た場合の左方を示し、右側とは、自動販売機を正面側から見た場合の右方を示す。
【００１９】
左庫２３の内部には、搬出シュータ２４が設けられており、この搬出シュータ２４よりも下方となる領域（以下、「熱交換領域」ともいう）に温度調節ユニット２５が配設されている一方、搬出シュータ２４よりも上方となる領域（以下、「商品収納領域」ともいう）に商品収納ラック４０が配設されている。
【００２０】
搬出シュータ２４は、商品収納ラック４０から払い出された商品を内扉６０（下部内扉６０ｂ）の商品搬出口６１に案内するためのプレート状部材であり、前方側に向けて漸次下方に傾斜する態様で配設されている。この搬出シュータ２４には、熱交換領域と商品収納領域との間を連通させる通気孔が多数穿設されている。
【００２１】
温度調節ユニット２５は、左庫２３の内部雰囲気を所望の温度状態に維持するためのもので、蒸発器２５ａ、電熱ヒータ２５ｂ及び庫内送風ファン２５ｃを備えて構成されている。
【００２２】
蒸発器２５ａは、圧縮機２６１、凝縮器２６２及び膨張弁２６３と冷媒配管２７にて接続されて冷凍サイクルを構成するものであり、自身の流路を通過する冷媒が蒸発することで周囲空気を冷却するものである。ここで圧縮機２６１、凝縮器２６２及び膨張弁２６３は、外箱１０の内部であって商品収容室２０の下方に区画された機械室１６に配設されている。
【００２３】
電熱ヒータ２５ｂは、蒸発器２５ａの前方域に配設されており、通電状態となることにより自身の周囲空気を加熱する加熱源である。庫内送風ファン２５ｃは、左庫２３（商品収容庫２３）の内部空気を循環させるための送風手段である。
【００２４】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック４０（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック４０（商品収納領域）を高温状態に維持することができる。
【００２５】
上記商品収容室２０の内部には、図４〜図６に示すように、上端部に前方フレーム材２８及び後方フレーム材２９を介して複数（図示の例では３つ）のラック支持フレーム３０が左右方向に沿って並設されている。
【００２６】
ラック支持フレーム３０は、商品収納ラック４０を保持するためのもので、それぞれが一対の縦フレーム材３１の間に複数の横フレーム材３２を架設することによって予め格子状に構成されている。
【００２７】
縦フレーム材３１は、図６に示すように、長尺平板状の縦材水平部（水平延在部分）３１ａと、縦材水平部３１ａの一端部から直角に屈曲した長尺平板状の縦材垂下部３１ｂとを有した金属製のもので、横断面がＬ字状を成している。縦フレーム材３１における縦材水平部３１ａの前端部には、それぞれネジ孔３１ｃが設けられている。各ラック支持フレーム３０の縦フレーム材３１は、互いに縦材水平部３１ａの他端縁を対向させる態様で相互に平行に配設されている。
【００２８】
それぞれの縦フレーム材３１の後端部には、後方に向けて突出するよう補強梁３１ｄが形成されている。かかる補強梁３１ｄは載置部３１ｄ１及び係合部３１ｄ２を備えている。載置部３１ｄ１は、縦材垂下部３１ｂの下縁よりも上方となる位置に設けた下方に向く下面である。係合部３１ｄ２は、載置部３１ｄ１よりも後方側に位置する部位から下方に向けて突設した舌片状部分である。これら載置部３１ｄ１及び係合部３１ｄ２は、いずれも縦フレーム材３１の縦材垂下部３１ｂと同一の板厚に構成されている。
【００２９】
横フレーム材３２は、長尺平板状の横材水平部３２ａと、横材水平部３２ａの一端縁部から直角に屈曲した長尺平板状の横材垂下部３２ｂと、横材垂下部３２ｂの延在縁部から横材水平部３２ａに対して平行に延在した後に該横材水平部３２ａに向けて直角に屈曲した係止部３２ｃとを有した金属製のものである。このような横フレーム材３２は、横材水平部３２ａの各端部をそれぞれ縦フレーム材３１における縦材水平部３１ａの上面に接合させ、互いに平行となる態様で一対の縦フレーム材３１に接合されている。
【００３０】
尚、図５に示すように、上記自動販売機においては、互いに左右幅の異なる３種類のラック支持フレーム３０を備えているが、これら３種類のラック支持フレーム３０は、横フレーム材３２の長さのみが異なるもので、個々の詳細構成は互いに同一である。そして、互いに隣接するラック支持フレーム３０間に断熱仕切板２２が挿入されることになる。これにより、最も左側にあるラック支持フレーム３０は、左庫２３において商品収納ラック４０を保持するものであり、中央のラック支持フレーム３０は、中庫２３において商品収納ラック４０を保持するものであり、最も右側のラック支持フレーム３０は、右庫２３において商品収納ラック４０を保持するものである。
【００３１】
ラック支持フレーム３０を保持する前方フレーム材２８及び後方フレーム材（後側取付部材）２９は、金属によって成形したものであり、図４に示すように複屈曲した横断面形状を成している。前方フレーム材２８は、フランジ部２８ｃを介して上壁１１の前縁部下面に接合されており、該上壁１１の下面から下方に向けて突出するとともに左右方向に沿って延在している。
【００３２】
後方フレーム材２９は、フランジ部２９ｃを介して後壁１４上縁部の前面に接合されており、該後壁１４の前面から前方に向けて突出するとともに、左右方向に沿って延在している。より詳細に説明すると、後方フレーム材２９は、フランジ部２９ｃの間に縦断面がコ字状を成す中空形成部２９ａを有している。かかる中空形成部２９ａは、上下方向に沿って延在する基部２９ａ１と、基部２９ａ１の上端縁部から後方に向けて延在して上方側のフランジ部２９ｃに連結する上方水平部（水平部分）２９ａ２と、基部２９ａ１の下端縁部から後方に向けて延在して下方側のフランジ部２９ｃに連結する下方水平部２９ａ３とから構成されており、後壁１４との間に左右方向に向けて延在する空洞２９ｂを形成している。
【００３３】
尚、前方フレーム材２８及び後方フレーム材２９を外箱１０に接合する方法としては、例えば溶接やネジ止めを適用すれば良い。これらの接合方法は、いずれか一方を適用しても良いし、両方を併用するようにしても良い。
【００３４】
これら前方フレーム材２８及び後方フレーム材２９には、互いに対応する部位にスリット２９ｄが複数形成されている。ここで、後方フレーム材２９に設けたスリット２９ｄは、図７に示すように、基部２９ａ１と上方水平部２９ａ２とに亘る部位に溝状に設けたもので縦フレーム材３１の縦材垂下部３１ｂを挿入することのできる大きさに形成されており、シート状部材７０により覆われている。
【００３５】
シート状部材７０は、硬質プラスチック等の金属よりも熱抵抗が大きく、かつ十分な圧縮強度を有する硬質樹脂材料から形成されたものであり、図８に示すように、略Ｌ字状に屈曲されてなるものである。このようなシート状部材７０は、後方フレーム材２９のスリット２９ｄを覆うとともに、上方水平部２９ａ２のうち該スリット２９ｄが形成された部分の周囲であってラック支持フレーム３０の縦フレーム材３１の縦材水平部３１ａに当接可能な領域を覆うことができる大きさがあればよい。そして、かかるシート状部材７０には、スリット２９ｄに対応する部位に切込部分７１が形成されている。
【００３６】
上述した前方フレーム材２８と後方フレーム材２９との間にラック支持フレーム３０を保持させる場合には、まず、縦フレーム材３１の前端部を前方フレーム材２８のスリットに挿入する。次に、縦フレーム材３１の後端部に設けた補強梁３１ｄ（係合部３１ｄ２）を後方フレーム材２９に配設されたシート状部材７０の切込部分７１を介して後方フレーム材２９のスリット２９ｄに挿入する。このとき、シート状部材７０の切込部分７１の端部は、補強梁３１ｄの挿入に応じて弾性変形しながら該補強梁３１ｄに密着する。そして、補強梁３１ｄを構成する係合部３１ｄ２を後方フレーム材２９の内部に位置させるとともに、補強梁３１ｄを構成する載置部３１ｄ１を介して縦フレーム材３１の後端部をシート状部材７０に載置させる。その後、ネジ等の締結部材を用いることでラック支持フレーム３０は、外箱１０の上壁１１の下面から離隔する態様で商品収容庫２３の内部にて前方フレーム材２８及び後方フレーム材２９に保持されることになる。
【００３７】
商品収納ラック４０は、図３及び図４に示すように、一対の側板の間に中空形成部材４２を配設することによって上下方向に沿って延在する蛇行状の商品収納域４３を構成したもので、該商品収納域４３に商品を収納する一方、商品払出指令が与えられた場合に払出機構４４を通じて対応する商品の払い出しを行うものである。本実施の形態では、それぞれの商品収容庫２３に複数の商品収納域４３を有した商品収納ラック４０を前後に配設するようにしている。
【００３８】
それぞれの商品収納ラック４０は、側板の上端部に設けた取付金具４５をラック支持フレーム３０の横フレーム材３２に係止させ、さらにはこれら取付金具４５及びラック支持フレーム３０の横フレーム材３２をネジ４６によって互いに螺着することにより、ラック支持フレーム３０に吊下保持させてある。
【００３９】
外扉５０は、外箱１０の前面開口を覆うためのもので、外箱１０の一側縁部に開閉可能に配設されている。外扉５０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口５１が設けられている。
【００４０】
また、この外扉５０には、商品取出部５２（図１及び図３参照）が設けられている。商品取出部５２は、商品収容庫２３における商品収納ラック４０から払い出されて内扉６０の商品搬出口６１を通過した商品を収容し、かつ商品取出口５１を通じて該商品を取出可能にするものである。
【００４１】
内扉６０は、商品収容庫２３（商品収容室２０）の前面を覆うためのもので、外扉５０よりも内方となる位置において外箱１０の一側縁部に開閉可能に配設した自動販売機用扉体である。この内扉６０は、上下に分割された構造を有しており、商品収容庫２３（商品収容室２０）の前面開口の上部側を覆う上部内扉６０ａと、商品収容庫２３（商品収容室２０）の前面開口の下部側を覆う下部内扉６０ｂとから構成されている。
【００４２】
以上のような構成を有する自動販売機においては、ラック支持フレーム３０と後方フレーム材２９との間にシート状部材７０が介在しているので、金属部材どうしの間に熱抵抗の大きい部材が介在していることになり、商品の温度がラック支持フレーム３０から後方フレーム材２９を通じて外部に伝達してしまう熱リークや、外部の熱が後方フレーム材２９からラック支持フレーム３０を通じて内部に伝達してしまう熱進入の発生を抑制できる。しかも、シート状部材７０は、ラック支持フレーム３０の縦材水平部３１ａと、後方フレーム材２９の上方水平部２９ａ２との間に介在しており、つまり、互いの水平部分どうしの間に介在しているので、シート状部材７０に複雑な加工を施す必要がなく、比較的安価で商品収納ラック４０を良好に支持することができる。
【００４３】
従って、上記自動販売機によれば、商品収納ラック４０を良好に支持しつつ、熱リーク及び熱進入の低減化を図ることができる。
【００４４】
また、上記自動販売機によれば、シート状部材７０における切込部分７１の端部は、補強梁３１ｄの挿入に応じて弾性変形しながら該補強梁３１ｄに密着するので、後方フレーム材２９のスリット２９ｄを介しての通気を抑制でき、これによっても熱リーク及び熱進入の低減化を図ることができる。
【００４５】
以上、本発明の好適な実施の形態について説明したが、本発明なこれに限定されるものではなく、種々の変更を行うことができる。
【００４６】
上述した実施の形態においては、シート状部材７０は、スリット２９ｄを覆う態様で後方フレーム材２９に配設され、かつ該スリット２９ｄに対応する部位に切込部分７１が形成されて成るものであったが、本発明においては、図９及び図１０に示すような構成を採用してもよい。尚、これら図９及び図１０において上述した実施の形態と同様の構成を有するものには同一の符号を付してその説明を省略する。
【００４７】
すなわち、シート状部材７２は、上方水平部２９ａ２のうちラック支持フレーム３０の縦フレーム材３１の縦材水平部３１ａに当接可能な領域を覆う水平介在部７２１と、中空形成部２９ａにより形成される空洞２９ｂを閉塞する中空閉塞部７２２とが連続するよう屈曲加工されたものであってもよい。
【００４８】
このような構成によれば、水平介在部７２１によりラック支持フレーム３０と後方フレーム材２９とが直接接触する虞れがなく、商品収納ラック４０を良好に支持しつつ熱リーク及び熱進入の低減化を図ることができる。しかも、中空閉塞部７２２が中空形成部２９ａにより形成される空洞２９ｂを閉塞するので、かかる空洞２９ｂを通過する空気による熱移送を抑制することができ、これによっても熱リーク及び熱進入の低減化を図ることができる。
【００４９】
また、本発明においては、図１１に示すように、ラック支持フレーム３０を構成する縦フレーム材３１の縦材水平部３１ａの後端部分に突起３１１が設けられており、後方フレーム材（取付部材）２９の上方側フランジ部２９ｃの底部に該突起３１１の進入を許容するスリット２９ｄ１が形成されている場合には、シート状部材７３は、上方水平部２９ａ２のうち縦フレーム材３１の縦材水平部３１ａに当接可能な領域を覆う態様で配設されていればよい。これによってもラック支持フレーム３０と後方フレーム材２９とが直接接触する虞れがなく、商品収納ラック４０を良好に支持しつつ、熱リーク及び熱進入の低減化を図ることができる。
【００５０】
また、本発明においては、ラック支持フレーム３０の前端部を支持する前方フレーム材（前側取付部材）は、次のような形態を有していてもよい。
【００５１】
図１２は、本発明の実施の形態である自動販売機の変形例における前方フレーム材の構成を示す分解斜視図である。
【００５２】
この図１２に示すように、前方フレーム材２８′は、例えば鋼板等の金属性板状体を屈曲加工等を施して構成されたものである。この前方フレーム材２８′は、上下方向に沿って延在する後端部２８１の下端部より後方に向けて突出する複数（図示の例では５つ）の舌片状の係止片２８２が左右方向に沿って所定間隔毎に形成されている。
【００５３】
このような前方フレーム材２８′には、樹脂ブロック８０及び板状ナット８１が載置されている。樹脂ブロック８０は、左右方向が長手方向となる直方状の形態をなしており、硬質樹脂材から形成されたものでる。この樹脂ブロック８０は、左右幅が前方フレーム材２８′の左右幅と同程度の大きさを有しており、複数の係止片２８２に跨る態様で各係止片２８２の上面に載置されるものである。
【００５４】
板状ナット８１は、樹脂ブロック８０と同様に左右方向が長手方向となる長尺状の平板部材であり、例えばステンレス鋼（ＳＵＳ）のように前方フレーム材２８′よりも熱伝導率の小さい金属材料から形成されたものである。この板状ナット８１の左右幅は樹脂ブロック８０の左右幅と同程度の大きさを有しており、樹脂ブロック８０の上面に載置されている。つまり、板状ナット８１は、樹脂ブロック８０（硬質樹脂材）を介して複数の係止片２８２に跨る態様で載置されている。
【００５５】
このような構成を有する前方フレーム材２８′に対して、図１３に示すように、縦フレーム材３１における縦材水平部３１ａの前端部を互いに隣接する係止片２８２の間に進入させて、図１４に拡大して示すように、縦材水平部３１ａのネジ孔３１ｃ、樹脂ブロック８０の貫通孔８０ａ及び板状ナット８１の係止孔８１ａにネジＮが挿通して該係止孔８１ａと螺合されることでラック支持フレーム３０が板状ナット８１と締結されることにより、前方フレーム材２８′は、ラック支持フレーム３０の前端部を支持している。
【００５６】
このような構成によれば、前方フレーム材２８′とラック支持フレーム３０との接触面積を低減させつつ前方フレーム材２８′と板状ナット８１とが直接接触することを避けることができ、しかも板状ナット８１が前方フレーム材２８′よりも熱伝導率の小さい金属材料から形成されていることから、商品収納ラック４０の重量を支える加重伝播部の熱抵抗を増大させることができる。これにより、商品の温度がラック支持フレーム３０から前方フレーム材２８′を通じて外部に伝達してしまう熱リークや、外部の熱が前方フレーム材２８′からラック支持フレーム３０を通じて内部に伝達してしまう熱進入の発生を抑制できる。従って、上記自動販売機によれば、商品収納ラック４０を良好に支持しつつ、熱リーク及び熱進入の低減化を図ることができる。
【符号の説明】
【００５７】
１０  外箱
１１  上壁
１２  側壁
１３  底壁
１４  背壁
２０  商品収容室
２１  断熱ボード
２３  商品収容庫
２５ｂ  電熱ヒータ
２８  前方フレーム材
２８′  前方フレーム材
２８ｃ  フランジ部
２９  後方フレーム材
２９ａ  中空形成部
２９ａ１  基部
２９ａ２  上方水平部（水平部分）
２９ａ３  下方水平部
２９ｂ  空洞
２９ｃ  フランジ部
２９ｄ  スリット
３０  ラック支持フレーム
３１  縦フレーム材
３１ａ  縦材水平部（水平延在部分）
３１ｂ  縦材垂下部
３１ｃ  ネジ孔
３１ｄ  補強梁
３１ｄ１  載置部
３１ｄ２  係合部
３２  横フレーム材
３２ａ  横材水平部
３２ｂ  横材垂下部
３２ｃ  係止部
４０  商品収納ラック
５０  外扉
５１  商品取出口
５２  商品取出部
６０  内扉
６０ａ  上部内扉
６０ｂ  下部内扉
６１  商品搬出口
７０  シート状部材
７１  切込部分
８０  樹脂ブロック
８１  板状ナット
【図１】
0005983391.tif 000002
【図２】
0005983391.tif 000003
【図３】
0005983391.tif 000004
【図４】
0005983391.tif 000005
【図５】
0005983391.tif 000006
【図６】
0005983391.tif 000007
【図７】
0005983391.tif 000008
【図８】
0005983391.tif 000009
【図９】
0005983391.tif 000010
【図１０】
0005983391.tif 000011
【図１１】
0005983391.tif 000012
【図１２】
0005983391.tif 000013
【図１３】
0005983391.tif 000014
【図１４】
0005983391.tif 000015